(57)【要約】【課題】補強体が接着される基礎コンクリートの上面の接着面積が小さくなってしまうことのない基礎スペーサを提供する。【解決手段】基礎コンクリート２０とこの基礎コンクリート２０の上に載置される建築構造物との間に介在され、且つ基礎コンクリート２０上に接着剤３１により接着される筐体部１１と円筒部１２とを備え、基礎コンクリート２０に設けたアンカーボルト２１を貫挿させる通孔１５を円筒部１２に形成した基礎スペーサ１０であって、円筒部１２の下面であって通孔１５の外側に接着剤３１を塗布する環状凹部１７を形成した。【選択図】図８
2007100307.tif 000002
【特許請求の範囲】
【請求項１】
基礎コンクリートとこの基礎コンクリートの上に載置される建築構造物との間に介在され、前記基礎コンクリートに設けたアンカーボルトを貫挿させる通孔が形成された基礎スペーサであって、
前記基礎スペーサの下面であって前記通孔の外側に前記接着剤を塗布する環状の第１凹部を形成したことを特徴とする基礎スペーサ。
【請求項２】
前記通孔と第１凹部との間に環状の第２凹部を形成したことを特徴とする請求項１に記載の基礎スペーサ。
【請求項３】
第１凹部の外側に下面が開口された室部が形成され、この室部と第１凹部との間の壁に切欠を形成したことを特徴とする請求項１または請求項２に記載の基礎スペーサ。
【発明の詳細な説明】
【技術分野】
【０００１】
この発明は、基礎コンクリートとこの基礎コンクリートの上に載置される建築構造物との間に設ける基礎スペーサに関する。
【背景技術】
【０００２】
一般に、住宅などの建築物では、基礎コンクリートと建築構造物との間に隙間を形成して床下換気を行っており、この隙間を形成するために基礎コンクリートと建築構造物との間に基礎スペーサを介在させている（特許文献１参照）。
【０００３】
かかる基礎スペーサ１は、図８（Ａ）に示すように、中央部にアンカーボルト２を通す通し穴３を形成した筒部４を有している。
【０００４】
この基礎スペーサ１の取り付けは、先ず筒部４の端面に接着剤５を塗布する。次に、図８（Ｂ）に示すように基礎スペーサ１の表１ａを上にして通し穴３に基礎コンクリート６のアンカーボルト２を通し、その接着剤５により基礎スペーサ１を基礎コンクリート６の上面に接着させる。そして、通し穴３とアンカーボルト２との間にグラウト８を注入し、この後、建築構造物の土台（図示せず）を基礎スペーサ上に設置する。
【０００５】
注入されたグラウト８は硬化することによりアンカーボルトの回りに筒状の補強体が形成され、この補強体がその硬化によって基礎コンクリートと土台とに固着される。この補強体の固着により、地震や台風等による土台の水平方向の力によってアンカーボルト１に加わる曲げ応力が抑制される。
【特許文献１】特開２００４−２５０９６６号公報
【発明の開示】
【発明が解決しようとする課題】
【０００６】
しかしながら、このような基礎スペーサ１にあっては、基礎コンクリート６の上面に接着する際に筒部４の端面に塗布した接着剤５が通し穴３へ流出し、筒状の補強体が接着される基礎コンクリート６の上面の接着面積が小さくなってしまい、水平方向に対する補強力が低下してしまう問題があった。
【０００７】
この発明の目的は、補強体が接着される基礎コンクリートの上面の接着面積が小さくなってしまうことのない基礎スペーサを提供することにある。
【課題を解決するための手段】
【０００８】
請求項１の発明は、基礎コンクリートとこの基礎コンクリートの上に載置される建築構造物との間に介在され、前記基礎コンクリートに設けたアンカーボルトを貫挿させる通孔が形成された基礎スペーサであって、
前記基礎スペーサの下面であって前記通孔の外側に前記接着剤を塗布する環状の第１凹部を形成したことを特徴とする。
【０００９】
請求項２の発明は、前記通孔と第１凹部との間に環状の第２凹部を形成したことを特徴とする。
【００１０】
請求項３の発明は、第１凹部の外側に下面が開口された室部が形成され、この室部と第１凹部との間の壁に切欠を形成したことを特徴とする。
【発明の効果】
【００１１】
この発明によれば、基礎スペーサを基礎コンクリート上に接着する際に、基礎スペーサの第１凹部に接着剤が塗布されていることにより、その接着剤は第１凹部から流出し難いものとなり、このため補強体が接着される基礎コンクリートの上面の接着面積が小さくなってしまうことが防止される。
【発明を実施するための最良の形態】
【００１２】
以下、この発明に基礎スペーサの実施の形態である実施例を図面に基づいて説明する。
【実施例】
【００１３】
図１はこの発明にかかる基礎スペーサ１０を使用した建築物の基礎構造を示す。図１において、２０は基礎コンクリートであり、この基礎コンクリート２０にはアンカーボルト２１が設けられている。アンカーボルト２１は基礎コンクリート２０の上面から上方に突出している。基礎コンクリート２０の上には基礎スペーサ１０を介して建築構造物の土台２２が載置され、アンカーボルト２１が基礎スペーサ１０と土台２２を上下に貫通し、その土台２２が基礎スペーサ１０を介してアンカーボルト２１とナット２３によって基礎コンクリート２０に固定されている。２４は建築構造物の外壁である。
【００１４】
そして、基礎スペーサ１０によって基礎コンクリート２０と建築構造物との間に隙間を形成し、この隙間によって床下の換気を行うようになっている。
【００１５】
基礎スペーサ１０は、ポリプロピレンからなり、図２ないし図６に示すように、底面が開口された肉厚の筐体部１１と、この筐体部１１の中央部に形成された円筒部１２と、この円筒部１２と筐体部１１との間の空間を仕切った４つのリブ１３ａ〜１３ｄとを有している。この４つのリブ１３ａ〜１３ｄによって下面が開口された４つの室部１４ａ〜１４ｄが形成されている。そして、筐体部１１と円筒部１２とで基礎スペーサ本体が構成される。
【００１６】
また、円筒部１２には上下方向に貫通した通孔１５が形成され、この通孔１５の径はアンカーボルト２１の径より大きく設定されている。円筒部１２の下面には、通孔１５の外側に深さの深い環状凹部（第２凹部）１６と、この環状凹部１６の外側に接着剤を塗布する深さの浅い環状凹部（第１凹部）１７とが形成されている。
【００１７】
この環状凹部１７と室部１４ａ〜１４ｄとの間の壁１８に切欠１８ａ〜１８ｄが形成されている。
【００１８】
［基礎構造の施工方法］
次に、建築物の基礎構造を構築する施工方法について説明する。
【００１９】
先ず、基礎コンクリート２０の上面２０Ａの基礎スペーサ１０の設置部で、レイタンス（どろ状物質）が形成されている場合は、予め、ワイヤーブラシ等でレイタンスを取り除き、汚れを洗い落とし、余分な水分は拭き取るようにする。
【００２０】
次に、図７（Ａ）に示すように、基礎スペーサ１０の裏面を上にして、この基礎スペーサ１０の裏面の環状凹部１７（図４参照）にカートリッジ３０にて接着剤３１を塗布する。この後、図７（Ｂ）に示すように、基礎スペーサ１０をその表を上に向けるとともに通孔１５に基礎コンクリート２０のアンカーボルト２１を貫挿させて基礎コンクリート２０の上面２０Ａに接着する。
【００２１】
このとき、接着剤３１は環状凹部１７に塗布されていることにより、その環状凹部１７から通孔１５側へ流れ出にくいものとなり、例え接着剤３１が通孔１５側へ流れ出ても、環状凹部１７の内側に環状凹部１６が形成されているので、その流れ出た接着剤３１は環状凹部１６内に入り込むことになり、接着剤３１が通孔１５内へ流れ込んでしまうことが防止される。
【００２２】
また、環状凹部１７と室部１４ａ〜１４ｄとの間の壁１８に切欠１８ａ〜１８ｄが形成されていることにより、環状凹部１７の接着剤３１はその切欠１８ａ〜１８ｄを通って室部１４ａ〜１４ｄへ流れ込み易くなっているので、その接着剤３１は通孔１５側へ流れにくくなり、接着剤３１が通孔１５内へ流れ込んでしまうことがより一層防止される。
【００２３】
基礎スペーサ１０の接着が完了したら、図７（Ｃ）に示すように主剤と硬化剤とを混合した２液硬化性のエポキシ樹脂からなるグラウト３５を基礎スペーサ１０の通孔１５とアンカーボルト２１との隙間に注入して充填する。この充填後に、グラウト３５が硬化する前に土台２２を基礎スペーサ１０の上に載置する。
【００２４】
注入したグラウト３５の硬化時間は、常温（２０℃）の場合、１８〜２４時間であるから、一昼夜放置して硬化させる。この硬化により、筒状の補強体３６（図１参照）が形成されるとともに、その硬化の際に補強体３６は基礎コンクリート２０と土台２２とに固着される。
【００２５】
この補強体３６の固着により、基礎コンクリート２０に対する土台２２の水平方向のズレを抑制し、台風や地震の際にアンカーボルト２１に加わる曲げ応力を減少させることができる。
【００２６】
ところで、基礎スペーサ１０の環状凹部１７に塗布した接着剤３１が通孔１５内へ流れ込まないことにより、補強体３６と基礎コンクリート２０の上面２０Ａとの接触面積を狭めてしまうことがなく、補強体３６と基礎コンクリート２０との接合力を十分に確保することができ、水平方向に対する補強力の低下を防止することができる。このため、基礎コンクリート２０に対する土台２２の水平方向のズレを確実に抑制することができ、台風や地震の際にアンカーボルト２１に加わる曲げ応力を確実に減少させることができる。
【００２７】
上記実施例では、凹部１６を環状に形成しているが、これに限らず例えば環状凹部１７の内側に環状凹部に沿って複数の凹部を形成してもよい。
【図面の簡単な説明】
【００２８】
【図１】この発明に係る基礎スペーサを使用した建築物の基礎構造を示した断面図である。
【図２】図１に示す基礎スペーサを示した斜視図である。
【図３】図２に示す基礎スペーサの裏面を上にして示した斜視図である。
【図４】図２に示す基礎スペーサの底面図である。
【図５】図４のＡ−Ａ線に沿う断面図である。
【図６】図４のＢ−Ｂ線に沿う断面図である。
【図７】（Ａ）基礎スペーサの環状凹部に接着剤を塗布した状態を示した説明図、  （Ｂ）基礎スペーサにアンカーボルトを通して基礎コンクリート上に接着させ        た状態を示した説明図、  （Ｃ）基礎スペーサの筒部内にグラウトを注入した状態を示した説明図である。
【図８】（Ａ）従来の基礎スペーサの環状凹部に接着剤を塗布した状態を示した説明図、 （Ｂ）従来の基礎スペーサの筒部内に注入した状態を示した説明図である。
【符号の説明】
【００２９】
１０    基礎スペーサ
１１    筐体部
１２    円筒部
１５    通孔
１７    環状凹部
２０    基礎コンクリート
２１    アンカーボルト
２２    土台
３５    グラウト
【図１】
2007100307.tif 000003
【図２】
2007100307.tif 000004
【図３】
2007100307.tif 000005
【図４】
2007100307.tif 000006
【図５】
2007100307.tif 000007
【図６】
2007100307.tif 000008
【図７】
2007100307.tif 000009
【図８】
2007100307.tif 000010